(57)【特許請求の範囲】
【請求項１】
それぞれコイルを保持して環状に配列された複数のコアとヨークとを一体に形成してなるヨークブロックと、前記コアの端面側が開放されるとともに環状の周壁を有して前記ヨークブロックを収容するリアハウジングと、前記ヨークにより起伏自在に支持されて前記コアの端面に対向配置された複数のアーマチュアと、これらのアーマチュアにより駆動される複数のワイヤを摺動自在に支持するワイヤガイドとプラテンに沿って往復駆動されるキャリアに取り付けられる取付部とを有して前記ヨークに連結されたフロントハウジングと、前記ヨークブロックの周囲と前記周壁との間に充填される筒状部及び前記リアハウジングと前記フロントハウジングとの間で挾持された環状のパッキング部を有し熱伝導性の良好な弾性材により形成された充填部材とを備えることを特徴とするワイヤドットプリンタヘッド。
【発明の詳細な説明】
【０００１】
【発明の属する技術分野】
本発明は、ワイヤドットプリンタヘッドに関する。
【０００２】
【従来の技術】
従来、コイルが巻回された複数のコアを環状に配列し、ワイヤの後端部が溶接されたアーマチュアを個々のコアの端面に対向させて起伏自在に支持し、コイルを励磁することによりアーマチュアを変位させ、ワイヤをプラテン上の記録紙に衝突させるようにしたワイヤドットプリンタヘッドがある。
【０００３】
以下、従来のワイヤドットプリンタヘッドの一例を図３ないし図６を参照して説明する。まず、図３にワイヤドットプリンタ１００の外観を示す。図中、２はフロントハウジング、３はリアハウジングである。フロントハウジング２には、プラテン（図示せず）に沿って往復駆動されるキャリア（図示せず）に取り付けられる取付部４と、プラテン側に突出するワイヤガイド５とが一体に形成されている。
【０００４】
図４ないし図６に示すように、前記リアハウジング３は、ヨークブロック６の周囲を囲繞する環状の周壁７と底面８とを有し、ヨークブロック６のコア９の端面側が開放された容器状の形状に形成され、底面８には後述するコネクタを突出させるための複数の開口１０と、外部に突出する複数のフィン１１とが形成されている。
【０００５】
前記ヨークブロック６は、それぞれコイル１２が環状に配列された複数の前記コア９と、これらのコア９と一体に形成されたヨーク１３とよりなる。ヨーク１３は、リアハウジング３の底面８に対向する円板部１４と、この円板部１４の一面から突出されてコア９の内側に位置する円筒部１５とを有する。リアハウジング３には、前記開口１０から突出するコネクタ１６を有する基板１７とスペーサ１８とヨークブロック６とが順次収納され、リアハウジング３の底面８とヨーク１３とは、基板１７とスペーサ１８とを挾持した状態で螺子１９により連結されている。
【０００６】
前記フロントハウジング２には、前記ヨーク１３の円筒部１５の内周側のエッジ（支点部）を支点として起伏自在に支持される複数のアーマチュア２０の動作を案内するアーマチュアガイド２１が一体に形成され、このアーマチュアガイド２１には、アーマチュア２０をヨーク１３の円筒部１５側に押える支点押えばね２２と、コア９の端面に生ずる磁気吸引力に抗してアーマチュア２０を付勢する復帰ばね２３とが設けられている。また、フロントハウジング２には、復帰ばね２３の付勢力により復帰するアーマチュア２０の復帰位置を定めるアーマチュアストッパ２４が取り付けられている。アーマチュア２０の自由端に溶接されたワイヤ２５は前記ワイヤガイド５により摺動自在に整列されて保持されている。そして、フロントハウジング２とリアハウジング３とは複数の螺子２６により連結されている。
【０００７】
次に、動作について説明する。コイル１２を励磁すると、アーマチュア２０がコア９の端面に吸引され、図示しないがインクリボンを介してプラテン上の用紙にワイヤ２５が衝突することにより、印字がなされる。コイル１２への通電が途絶えた時に、アーマチュア２０が復帰ばね２３の付勢力により復帰してアーマチュアストッパ２４により復帰位置が定められる。
【０００８】
この場合、発熱源となるコイル１２は約１５０℃で損傷するおそれがあるので、図６に示すように、ヨークブロック６の周囲とリアハウジング３の周壁７との間に熱伝導性の良好なシリコンゴム等の樹脂１０１を充填し、コイル１２から発生する熱を樹脂１０１を介してリアハウジング３に伝え、リアハウジング３から外部に放熱している。この場合、リアハウジング３はアルミニウム等の放熱性の高い金属材料により形成されている。
【０００９】
リアハウジング３は容積が小さいので充分な放熱作用が得られにくい。そこで、リアハウジング３に伝わる熱をフロントハウジング２にも伝え、さらに、取付部４を介してプリンタのキャリア、さらにはキャリアを支持する面積の大きなフレームに伝えることにより、放熱効果を促進することが考えられる。
【００１０】
リアハウジング３に伝わる熱をフロントハウジング２に伝えるために、リアハウジング３の周壁７の端部をフロントハウジング２の端面に接触させることを優先すると、部品寸法の製作上の誤差により、ヨーク１３及びコア９とフロントハウジング２との相対位置関係が変化し、アーマチュア２０のストローク、アーマチュア２０とコア９との間のエアーギャップ等にバラツキが生じ、印字品質に影響が生ずる。
【００１１】
そこで、ヨーク１３及びコア９とフロントハウジング２との相対位置関係を正確に維持し、且つ、リアハウジング３の熱をフロントハウジング２に伝達するために、図６に示すように、リアハウジング３の周壁７の端面とフロントハウジング２との対向面に熱伝導性の良好なＯリング１０２を介在させることが考えられている。
【００１２】
【発明が解決しようとする課題】
リアハウジング３の熱をフロントハウジング２に伝達するために、両者の間に熱伝導性の良好なＯリング１０２を介在させる従来例は、独立したＯリング１０２を別個に用意しなければならず部品点数が増加する。また、リアハウジング３の周壁７の端面の幅が狭いため、螺子２６を締め付けるときにＯリング１０２が外れ易く、組立作業性が悪くなる。
【００１３】
【課題を解決するための手段】
本発明は、それぞれコイルを保持して環状に配列された複数のコアとヨークとを一体に形成してなるヨークブロックと、前記コアの端面側が開放されるとともに環状の周壁を有して前記ヨークブロックを収容するリアハウジングと、前記ヨークにより起伏自在に支持されて前記コアの端面に対向配置された複数のアーマチュアと、これらのアーマチュアにより駆動される複数のワイヤを摺動自在に支持するワイヤガイドとプラテンに沿って往復駆動されるキャリアに取り付けられる取付部とを有して前記ヨークに連結されたフロントハウジングと、前記ヨークブロックの周囲と前記周壁との間に充填される筒状部及び前記リアハウジングと前記フロントハウジングとの間で挾持された環状のパッキング部を有し熱伝導性の良好な弾性材により形成された充填部材とを備える。したがって、コイルから発生する熱は充填部材の筒状部からリアハウジングの周壁に伝えられ、さらに、充填部材のパッキング部からフロントハウジングに伝えられる。
【００１４】
【発明の実施の形態】
本発明の一実施の形態を図１及び図２に基づいて説明する。図３ないし図６において説明した部分と同一部分は同一符号を用い説明も省略する。本実施の形態におけるワイヤドットプリンタヘッド１は、ヨークブロック６の周囲とリアハウジング３の周壁７との間に充填される筒状部２７、及びリアハウジング３とフロントハウジング２との間で挾持された環状のパッキング部２８を一体に有する充填部材２９を備えている。この充填部材２９は、熱伝導性が良好で弾性的に屈撓し得る例えばシリコン等の弾性材により形成されている。
【００１５】
このような構成において、コイル１２から発生する熱は充填部材２９の筒状部２７からリアハウジング３の周壁７に伝えられ、さらに、充填部材２９のパッキング部２８からフロントハウジング２に伝えられる。このフロントハウジング２は、取付部４（図３参照）によりプリンタのキャリアに取り付けられるため、フロントハウジング２に伝わった熱をキャリアを介してプリンタのフレームに伝えることができる。これにより、リアハウジング３、フロントハウジング２、キャリア、表面積の大きなフレーム等によって極めて効果的に放熱することができる。
【００１６】
ワイヤドットプリンタヘッド１の組立に際し、アーマチュア２０を支えるヨーク１３及びコア９とフロントハウジング２との相対位置は、ヨーク１３の端面とフロントハウジング２の端面とを直接当接させ、或いは両者の間に介装されるシート状のスペーサ（図示せず）の厚さを調節する等により一定に定められる。このために、リアハウジング３の周壁７の端面とフロントハウジング２の端面との間に、一定の隙間が得られるように設計されているが、その隙間は多少のバラツキがあっても充填部材２９のパッキング部２８により密閉される。
【００１７】
したがって、ヨーク１３及びコア９とフロントハウジング２との相対位置関係を所望の関係に維持することができ、アーマチュア２０のストローク、アーマチュア２０とコア９との間のエアーギャップ等のバラツキを小さくし、印字品質を高めることができる。
【００１８】
また、フロントハウジング２とリアハウジング３との間をパッキング部２８で密閉することができるため、コア９の端面やアーマチュアストッパ２４にアーマチュア２０が衝突するときに発生する衝撃音等が外部に洩れることはない。
【００１９】
さらに、環状のパッキング部２８は充填部材２９の筒状部２７に一体に形成されているため、部品点数を少なくするとともに、リアハウジング３の狭い周壁７から脱落するようなことがなく、組立作業性を向上させることができる。
【００２０】
なお、前実施の形態においては、フロントハウジング２にワイヤガイド５及びアーマチュアガイド２１を一体に形成した状態で説明したが、ワイヤガイド及びアーマチュアガイドはフロントハウジングとは別個に形成してもよい。この場合には、フロントハウジング、ワイヤガイド、アーマチュアガイド、ヨークを積層状態で結合することにより、本発明を適用することが可能となる。
【００２１】
【発明の効果】
本発明によれば、環状の周壁を有してヨークブロックを収容するリアハウジングと、キャリアに取り付けられる取付部を有してヨークブロックのヨークに連結されたフロントハウジングと、ヨークブロックの周囲とリアハウジングの周壁との間に充填される筒状部及びリアハウジングとフロントハウジングとの間で挾持された環状のパッキング部を有し熱伝導性の良好な弾性材により形成された充填部材とを備えるので、コアに保持されたコイルから発生する熱を充填部材の筒状部からリアハウジングの周壁に伝え、さらに、充填部材のパッキング部からフロントハウジングに伝えることができ、フロントハウジングに伝えた熱をさらに取付部を介してプリンタのキャリアやフレームに伝えて放熱効果を向上させることができる。また、リアハウジングの熱をパッキング部を介してフロントハウジングに伝えるようにしても、ヨークとフロントハウジングとの相対位置関係に影響を与えることがないため、アーマチュアのストローク等を一定に維持することができる。さらに、環状のパッキング部は充填部材と一体に形成されているため、部品点数を少なくするとともに、組立作業性を向上させることができる。
【図面の簡単な説明】
【図１】本発明の一実施の形態におけるワイヤドットプリンタヘッドの内部構造を示す縦断側面図である。
【図２】組立過程を示す縦断側面図である。
【図３】従来の一例としてのワイヤドットプリンタヘッドの外観を示す斜視図である。
【図４】ヨークブロックとリアハウジングとの関係を示す分解斜視図である。
【図５】リアハウジングにヨークブロックを収納した状態を示す斜視図である。
【図６】ワイヤドットプリンタヘッドの内部構造を示す縦断側面図である。
【符号の説明】
２      フロントハウジング
３      リアハウジング
４      取付部
５      ワイヤガイド
６      ヨークブロック
７      周壁
９      コア
１２    コイル
１３    ヨーク
２０    アーマチュア
２５    ワイヤ
２７    筒状部
２８    パッキング部
２９    充填部材
【図１】
0003618019.tif 000002
【図２】
0003618019.tif 000003
【図３】
0003618019.tif 000004
【図４】
0003618019.tif 000005
【図５】
0003618019.tif 000006
【図６】
0003618019.tif 000007